(57)【要約】【課題】切れ刃の欠けや破損を抑制される草刈り刃の提供にある。【解決手段】考案に係る草刈り刃１６は、草刈り機の回転軸に取り付けられる基板２０と、この基板２０に取り付けられる刃部２２ａ、２２ｂとを備えている。この基板２０の中央部は、回転軸に取り付けられる。この基板の周辺部に刃部２２ａ、２２ｂが軸着されて回転軸に平行な軸線に対して回動可能にされている。この刃部２２ａ、２２ｂは、長尺板状の形状を備えている。刃部２２ａ、２２ｂの長手方向の元端部３６は、基板２０に軸着されている。刃部２２ａ、２２ｂの長手方向の先端部３８に、切れ刃４４ａ、４４ｂが形成されている。この切れ刃２２ａ、２２ｂは、刃部２２ａ、２２ｂの回動方向に面する側面に形成されている。【選択図】図３
0003166220.tif 000002
【実用新案登録請求の範囲】
【請求項１】
草刈り機の回転軸に取り付けられる基板と、この基板に取り付けられる刃部とを備えており、
この基板の中央部が回転軸に取り付けられており、この基板の周辺部に刃部が軸着されて回転軸に平行な軸線に対して回動可能にされており、
この刃部が長尺板状の形状を備えており、この長手方向の元端部が基板に軸着されており、この刃部の長手方向の先端部に切れ刃が形成されており、この切れ刃が刃部の回動方向に面する側面に形成されている草刈り刃。
【請求項２】
一対の上記刃部を備えており、
その一方の刃部と他方の刃部とが基板の回転中心に対称に軸着されている請求項１に記載の草刈り刃。
【請求項３】
上記基板の上面側に取り付けられる刃部と、基板の下面側に取り付けられる刃部と、刃部軸とを備えており、
この上面に位置する刃部と下面に位置する刃部とが基板を間にしてこの一つの刃部軸に軸着されている請求項１又は２に記載の草刈り刃。
【考案の詳細な説明】
【技術分野】
【０００１】
本考案は、草刈り機に使用される草刈り刃に関する。
【背景技術】
【０００２】
草刈り刃を回転させ、この草刈り刃で草を刈り揃えていく草刈り機が使用されている。このような草刈り機に、細長い板状の草刈り刃が使用されている。この細長い板状の草刈り刃の両先端に切れ刃が備えられている。この草刈り刃が回転させられ、草が所定の高さに刈り揃えられている。
【０００３】
特開２００９−１１２２３号公報には、このような草刈り機に使用される草刈り刃が開示されている。この草刈り機では、二つの草刈り刃が回転させられて、切れ刃が草を刈り揃える。
【先行技術文献】
【特許文献】
【０００４】
【特許文献１】特開２００９−１１２２３号公報
【考案の概要】
【考案が解決しようとする課題】
【０００５】
回転する草刈り刃に石や岩等の障害物が当たることがある。切れ刃が欠けたりすることがある。欠けた切れ刃では、草を綺麗に刈り揃えることが難しい。草刈り刃の寿命が低下する。寿命が短い草刈り刃は多数使用されることとなる。場合によっては、草刈り刃が破損することもあり得る。草刈り刃の交換にも手間がかかる。
【０００６】
本考案の目的は、切れ刃の欠けや破損を抑制される草刈り刃の提供にある。
【課題を解決するための手段】
【０００７】
本考案に係る草刈り刃は、草刈り機の回転軸に取り付けられる基板と、この基板に取り付けられる刃部とを備えている。この基板の中央部は、回転軸に取り付けられる。この基板の周辺部に刃部が軸着されて回転軸に平行な軸線に対して回動可能にされている。この刃部は、長尺板状の形状を備えている。刃部の長手方向の元端部は、基板に軸着されている。刃部の長手方向の先端部に、切れ刃が形成されている。この切れ刃は、刃部の回動方向に面する側面に形成されている。  
【０００８】
好ましくは、この草刈り刃は、一対の上記刃部を備えている。その一方の刃部と他方の刃部とは、基板の回転中心に対称に軸着されている。
【０００９】
好ましくは、この草刈り刃は、上記基板の上面側に取り付けられる刃部と、基板の下面側に取り付けられる刃部と、刃部軸とを備えている。この上面に位置する刃部と下面に位置する刃部とは、基板を間にしてこの一つの刃部軸に軸着されている。
【考案の効果】
【００１０】
この草刈り刃では、障害物が当たると刃部が回動する。この回動により、刃部が受ける衝撃が緩和される。刃部の損傷が抑制されている。
【図面の簡単な説明】
【００１１】
【図１】図１は、本考案に係る一実施形態の草刈り刃が使用された草刈り機の側面図である。
【図２】図２（ａ）は図１の草刈り機のカッター基台のＡ矢視図であり、図２（ｂ）は図１の草刈り機のカッター基台の側面図である。
【図３】図３（ａ）は図１の草刈り機に使用されている草刈り刃の平面図であり、図３（ｂ）は草刈り刃の側面図である。
【図４】図４（ａ）は図３の草刈り刃の使用状態が示された説明図であり、図４（ｂ）は図３の草刈り刃の他の使用状態が示された説明図である。
【考案を実施するための形態】
【００１２】
以下、適宜図面が参照されつつ、好ましい実施形態に基づいて本考案が詳細に説明される。
【００１３】
図１の草刈り機２は、歩行式草刈り機である。この草刈り機２はカッター基台４を備えている。図２（ａ）は、草刈り機２のカッター基台４を示している。図２（ａ）は、図１のＡ矢視図である。図２（ｂ）は、図１の草刈り機２のカッター基台４の側面図である。この草刈り機２の鉛直方向では地面に近づく向きが下向きである。図２（ａ）の左右方向（Ｙ軸方向）が、この草刈り機２の前後方向である。図２（ａ）の上下方向（Ｘ軸方向）が、この草刈り機２の左右方向である。
【００１４】
このカッター基台４は、カバー６、第一刃物台８、第二刃物台１０、第一回転軸１２、第二回転軸１４、第一草刈り刃１６及び第二草刈り刃１８を備えている。
【００１５】
図３（ａ）は、第一草刈り刃１６の平面図である。図３（ｂ）は、第一草刈り刃１６の側面図である。図３（ａ）の一点鎖線Ｌ１は、第一草刈り刃１６の中心線である。第一草刈り刃１６は、基板２０と、刃部２２ａ、２２ｂ、２２ｃ及び２２ｄと、刃部軸としての軸ボルト２４ａ及び２４ｂと、座金２６ａ及び２６ｂと、緩み止め機能を備えたナット２８ａ及び２８ｂとを備えている。この図３（ａ）では、刃部２２ａ、２２ｂ、２２ｃ及び２２ｄの中心線は、中心線Ｌ１に一致している。
【００１６】
基板２０は、円板形状を備えている。点Ｐ１は、この基板２０の中心を示している。基板２０には、軸孔３０、軸取付孔３２及び刃部取付孔３４が形成されている。軸孔３０は、中心Ｐ１に形成されている。軸孔３０は、基板２０の中央部に位置している。軸取付孔３２は、軸孔３０の周辺に形成されている。一対の軸取付孔３２は、軸孔３０に対して対称の位置に形成されている。刃部取付孔３４は、基板２０の周辺部に形成されている。二対の刃部取付孔３４が、中心Ｐ１を中心とする同一円周上に形成されている。この一対の刃部取付孔３４は、中心Ｐ１に対称に配置されている。ここでは、４つの刃部取付孔３４が円周方向に等間隔に形成されている。
【００１７】
刃部２２ａは、長尺の板状の形状を備えている。刃部２２ａは、長手方の元端側に位置する元端部３６と、先端側に位置する先端部３８と、元端部３６と先端部３８との間に位置する中間部４０とを備えている。
【００１８】
この元端部３６に軸孔４２が形成されている。長手方向先端部３８に切れ刃４４ａ及び４４ｂが形成されている。切れ刃４４ａは先端部３８の一方の側面に形成され、切れ刃４４ｂは先端部３８の他方の側面に形成されている。これらの側面は、刃部２２ａの回動方向に面している。
【００１９】
切れ刃４４ａは、先端部３８の元端側からその先端まで長手方向に形成されている。図３（ａ）に示されるように、切れ刃４４ａは、元端側から先端に向かって刃部２２ａの中心線Ｌ１から離れる向きに傾斜して形成されている。切れ刃４４ｂは、切れ刃４４ａと反対の側面に形成されており、元端側から先端に向かって刃部２２ａの中心線Ｌ１から離れる向きに傾斜して形成されている。切れ刃４４ａと切れ刃４４ｂとは中心線Ｌ１に対して対称に形成されている。先端部３８の先端中央には切り欠き４６が形成されている。
【００２０】
図３（ｂ）に示されるように、元端部３６は基板２０に平行に延びている。この刃部２２ａは、元端部３６と中間部４０との間で屈曲している。中間部４０は、元端部３６側から先端部３８側に向かって基板２０から離れる向きに延びている。刃部２２ａは、中間部４０と先端部３８との間で、先端部３８が基板２０に平行に近付く向きに屈曲している。ここでは、刃部２２ａについて説明がされたが、刃部２２ｂ、２２ｃ及び２２ｄも同じ形状を備えている。
【００２１】
一対の刃部取付孔３４の一方の刃部取付孔３４に軸ボルト２４ａが通されている。この軸ボルト２４ａは、六角形の頭部４８と、軸部５０と、軸部５０より小径のネジ部５２とを備えている。ここでは、軸ボルト２４ａとして、六角段付きボルトが使用されている。この軸部５０は、基板２０を間にして刃部２２ａの軸孔４２と刃部２２ｃの軸孔４２とに通されている。このネジ部５２に座金２６ａが通されている。このネジ部５２とナット２８ａとが螺合している。ナット２８ａにより緩み止めがされている。これにより、刃部２２ａ及び刃部２２ｃは軸着されている。刃部２２ａ及び刃部２２ｃは、基板２０に第一回転軸１２と平行な軸線に対して回動可能に取り付けられている。
【００２２】
この一対の刃部取付孔３４の他方の刃部取付孔３４に軸ボルト２４ｂが通されている。この軸ボルト２４ｂも、軸ボルト２４ａと同様に六角形の頭部４８と、軸部５０と、軸部５０より小径のネジ部５２とを備えている。この軸ボルト２４ｂにより、刃部２２ｂと刃部２２ｄとが軸着されている。刃部２２ｂと刃部２２ｄとが基板２０に回動可能に取り付けられている。刃部２２ａ及び刃部２２ｂは基板２０の下面側に取り付けられている。刃部２２ｃ及び刃部２２ｄは基板２０の上面側に取り付けられている。図３（ｂ）の両矢印Ｋは、軸部５０の軸方向の隙間を示している。ここでは、この隙間Ｋは、０．３ｍｍ以上０．８ｍｍ以下に設定されている。
【００２３】
図２に示されるように、第一回転軸１２が軸孔３０に通されている。第一草刈り刃１６は、軸取付孔３２により、第一回転軸１２に取り付けられている。この刃部２２ａと刃部２２ｂとは、基板２０の回転中心Ｐ１に対称に軸着されている。この刃部２２ｃと刃部２２ｄとは、基板２０の回転中心Ｐ１に対称に軸着されている。
【００２４】
第二草刈り刃１８は、基板２０と、刃部２２ｅ、２２ｆ、２２ｇ及び２２ｈと、軸ボルト２４ａ及び２４ｂと、座金２６ａ及び２６ｂと、ナット２８ａ及び２８ｂとを備えている。この刃部２２ｅ、２２ｆ、２２ｇ及び２２ｈは、刃部２２ａと同じ形状を備えている。
【００２５】
第二回転軸１４が軸孔３０に通されている。第二草刈り刃１８は、軸取付孔３２により、第二回転軸１４に取り付けられている。第一草刈り刃１６と第二草刈り刃１８とは、回転方向に互いに９０°位相をずらして取り付けられている。この第二草刈り刃１８は、第二回転軸１４に取り付けられる点で異なるが、第一草刈り刃１６と同じ構成を備えている。
【００２６】
図４（ａ）及び図４（ｂ）には、この第一草刈り刃１６の使用状態が示されている。図４（ａ）では、第一草刈り刃１６は回転向きＲ１に回転している。遠心力により、刃部２２ａ及び刃部２２ｂの先端部３８が基板２０の径方向外側に突出している。図４（ｂ）には、この第一草刈り刃１６の他の使用状態が示されている。図４（ｂ）では、刃部２２ａの先端部３８が回転向きＲ１と逆向きに回動している。同様に刃部２２ｂの先端部３８が回転向きＲ１と逆向きに回動している。図示されないが、刃部２２ｃ及び刃部２２ｄも、同様に回転向きＲ１と逆向きに回動し得る。図４（ｂ）では、この刃部２２ａ、２２ｂ、２２ｃ及び２２ｄとが回動した状態で、第一草刈り刃１６が回転している。
【００２７】
作業者が図１の草刈り機２のスイッチを入れる。第一回転軸１２及び第二回転軸１４が回転する。図２の矢印Ｒ１は、第一回転軸１２の回転向きを示している。矢印Ｒ２は、第二回転軸１４の回転向きを示している。この第一回転軸１２と第二回転軸１４とは、一方が時計回りに回転し、他方が反時計回りに回転している。この第一回転軸１２と第二回転軸１４とは、逆向きに回転している。
【００２８】
第一草刈り刃１６の基板２０が第一回転軸１２と一体に回転する。基板２０が回転することで、刃部２２ａは遠心力を受ける。図４（ａ）に示されるように、刃部２２ａの先端部３８が基板２０の径方向外側に突出する。回転向きＲ１に面する切れ刃４４ａにより草が刈り取られる。同様に、刃部２２ｂの先端部３８が基板２０の径方向外側に突出する。刃部２２ｂの切れ刃４４ａにより草が刈り取られる。
【００２９】
図示されないが、第一草刈り刃１６の刃部２２ｃ及び刃部２２ｄでは、回転向きＲ１に切れ刃４４ｂが面している。刃部２２ｃ及び刃部２２ｄの先端部３８が基板２０の径方向外側に突出する。刃部２２ｃ及び刃部２２ｄの切れ刃４４ｂにより草が刈り取られる。
【００３０】
作業者がこの草刈り機２を押して歩行する。回転する刃部２２ａに石や岩などの障害物が衝突する場合がある。障害物が衝突すると、図４（ｂ）に示されるように、この刃部２２ａの先端部３８は、回転向きＲ１と逆向きに回動する。同様に、刃部２２ｂ、２２ｃ及び２２ｄも回転向きＲ１と逆向きに回動する。
【００３１】
障害物がなくなると、遠心力により、この刃部２２ａの先端部３８は、径方向外向きに突出する。同様に、刃部２２ｂ、２２ｃ及び２２ｄの先端部３８も径方向外向きに突出する。この第一草刈り刃１６は、図４（ａ）に示された状態に戻って回転する。刃部２２ａ、２２ｂ、２２ｃ及び２２ｄにより、草が刈り取られる。
【００３２】
この刃部２２ａ、２２ｂ、２２ｃ及び２２ｄは、障害物が衝突すると、回転向きＲ１と逆向きに回動する。刃部２２ａ、２２ｂ、２２ｃ及び２２ｄが障害物から受ける衝撃が緩和されている。刃部２２ａ、２２ｂ、２２ｃ及び２２ｄの破損が抑制されている。切れ刃４４ａ及び４４ｂの欠けが抑制されている。石などがはね飛ばされることが抑制されている。
【００３３】
この刃部２２ａ及び刃部２２ｃと刃部２２ｂ及び刃部２２ｄとは基板２０の回転中心Ｐ１に対称に軸着されているので、第一草刈り刃１６はバランスよく高速回転し得る。刃部２２ａと２２ｂとが回転向きＲ１と逆向きに回動する際も同様に回動する。刃部２２ｃと２２ｄとが回転向きＲ１と逆向きに回動する際も同様に回動する。第一草刈り刃１６は高速回転に適しているので、刃部２２ａ、２２ｂ、２２ｃ及び２２ｄは径方向外側に容易に突出し得る。
【００３４】
この第一草刈り刃１６は長期の使用により、刃部２２ａ及び刃部２２ｂの切れ刃４４ａが摩耗する。刃部２２ｃ及び刃部２２ｄの切れ刃４４ｂが摩耗する。摩耗が進行すると草が刈り取れなくなる。刃部２２ａと刃部２２ｃとが互いに付け替えられる。刃部２２ｃの切れ刃４４ａと刃部２２ａの切れ刃４４ｂとにより草が刈り取られる。同様に、刃部２２ｂと刃部２２ｄとのが互いに付け替えられる。刃部２２ｄの切れ刃４４ａと刃部２２ｂの切れ刃４４ｂとにより草が刈り取られる。
【００３５】
この刃部２２ａ、２２ｂ、２２ｃ及び２２ｄは、互いに付け替えることで、従来の草刈り刃より長く使用し得る。刃部２２ａと刃部２２ｃが一つの軸ボルト２４ａで取り付けられているので、付け替えも容易になっている。刃部２２ｂと刃部２２ｄについても同様に、付け替えが容易になっている。更に、刃部２２ａ、２２ｂ、２２ｃ及び２２ｄが摩耗すると、基板２０を取り代えることなく、新たな刃部に取り換えられる。また、刃部２２ａ、２２ｂ、２２ｃ及び２２ｄのいずれかが破損した場合には、その破損した刃部のみが交換し得る。
【００３６】
基板２０は二対の刃部取付孔３４を備えている。長期に使用により、一方の一対の刃部取付孔３４が摩耗しても、他方の一対の刃部取付孔３４を使用し得る。この基板２０は長期に使用し得る。ここでは、二対の刃部取付孔３４を備える基板２０を例示したが、基部２０は、三対以上の更に複数の対の刃部取付孔３４を備えてもよい。
【００３７】
第二草刈り刃１８は、回転向きＲ２の向きに回転している。刃部２２ｅ及び２２ｆの切れ刃４４ｂが草を刈る。刃部２２ｇ及び２２ｈの切れ刃４４ａが草を刈る。障害物が衝突すると、刃部２２ｅ、２２ｆ、２２ｇ及び２２ｈの先端部３８は回転向きＲ２と逆向きに回動する。第二草刈り刃１８の他の構成は、第一草刈り刃１６のそれと同様であり、その説明は省略される。
【００３８】
回転向きＲ１と回転向きＲ２とは逆向きなので、切れ刃４４ａ又は切れ刃４４ｂが摩耗した場合に、刃部２２ａ又は刃部２２ｂと刃部２２ｅ又は刃部２２ｆとが付け替えられてもよい。刃部２２ｃ又は刃部２２ｄと刃部２２ｇ又は刃部２２ｈが付け替えられてもよい。
【００３９】
この実施形態では、第一草刈り刃１６及び第二草刈り刃１８にそれぞれ４枚の刃部を備えていたが、それぞれ２枚の刃部を備える草切り刃を用いてもよい。例えば、第一草切り刃１６に相当する草切り刃に刃部２２ａ及び刃部２２ｂを備え、第二草切り刃１８に相当する草切り刃に刃部２２ｅ及び刃部２２ｆを備えていてもよい。
【００４０】
この実施形態では、二軸の回転軸を備えた草刈り機２について説明したが、一軸の回転軸を備えた草刈り機でも三軸以上の回転軸を備えた草刈り機でも、この草刈り刃は同様に使用し得る。
【符号の説明】
【００４１】
２・・・草刈り機
４・・・カッター基台
６・・・カバー
８・・・第一刃物台
１０・・・第二刃物台
１２・・・第一回転軸
１４・・・第二回転軸
１６・・・第一草刈り刃
１８・・・第二草刈り刃
２０・・・基板
２２ａ、２２ｂ、２２ｃ、２２ｄ、２２ｅ、２２ｆ、２２ｇ、２２ｈ・・・刃部
２４ａ、２４ｂ・・・軸ボルト
２６ａ、２６ｂ・・・座金
２８ａ、２８ｂ・・・ナット
３０・・・軸孔
３２・・・軸取付孔
３４・・・刃部取付孔
３６・・・元端部
３８・・・先端部
４０・・・中間部
４２・・・軸孔
４４ａ、４４ｂ・・・切れ刃
４６・・・切り欠き
４８・・・頭部
５０・・・軸部
５２・・・ネジ部
【図１】
0003166220.tif 000003
【図２】
0003166220.tif 000004
【図３】
0003166220.tif 000005
【図４】
0003166220.tif 000006